【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
特性が異なるＸ（Ｘは２以上の整数）個の被写体像を同時に撮像し、前記Ｘ個の被写体像の少なくとも１つの被写体像に対し、複数の波長域の画素信号を出力する撮像モジュールであって、
被写体光が入射するＸ個の領域を有し、Ｘ個の領域毎に特性が異なる被写体像を同じ像面で重ねて結像させる多様レンズと、
前記多様レンズの瞳像を前記Ｘ個の領域毎に分割する瞳分割手段と、
前記瞳分割手段によって分割されたＸ個の瞳像をそれぞれ受光するＸ個の受光領域に対応して配設されたＹ（ＹはＸ＋１以上の整数）個の光電変換器と、を備え、
前記Ｘ個の受光領域のうちの少なくとも１つの受光領域には、複数の光電変換器が配設され、
前記１つの受光領域に配設された複数の光電変換器は、前記複数の波長域の画素信号を出力し、
前記瞳分割手段は、２次元状に配列されたマイクロレンズから構成されたアレイレンズであって、前記光電変換器の入射面側に配設され、各マイクロレンズにより前記多様レンズの瞳像を前記Ｙ個の光電変換器に入射させるアレイレンズであり、
前記アレイレンズは、各マイクロレンズにより前記光電変換器上にそれぞれ入射させる瞳像のうち、互いに隣り合う前記瞳像の一部同士を前記光電変換器上で重複させる撮像モジュール。
【請求項２】
前記多様レンズは、中央の第１の光学系と、前記第１の光学系の周辺部に設けられ、該第１の光学系とは特性が異なる第２の光学系とからなる請求項１に記載の撮像モジュール。
【請求項３】
前記多様レンズは、前記第１の光学系及び第２の光学系のうちの一方が広角光学系であり、他方が望遠光学系である請求項２に記載の撮像モジュール。
【請求項４】
前記多様レンズの第１の光学系は円形の中央光学系であり、前記第２の光学系は前記中央光学系に対して同心円状に配設された環状光学系である請求項２又は３に記載の撮像モジュール。
【請求項５】
前記多様レンズは、中央の第１の光学系と、前記第１の光学系の周辺部に設けられ、該第１の光学系とは特性が異なる第２の光学系とからなり、
前記瞳分割手段及び前記Ｙ個の光電変換器を単位ブロックとすると、前記単位ブロックは、格子状に配列された３×３個の光電変換器を有し、
前記多様レンズの第１の光学系は円形の中央光学系であり、前記第２の光学系は前記中央光学系に対して同心円状に配設された環状光学系であり、
前記第１の光学系に対応する中央瞳像は、前記単位ブロックの中央の光電変換器に入射し、
前記第２の光学系に対応する環状瞳像は、前記単位ブロックの周囲の８個の光電変換器に入射し、
格子状に配列された４×４個の光電変換器を基本ブロックとし、該基本ブロックが水平方向及び垂直方向に繰り返し配置されてイメージセンサが構成されている請求項１に記載の撮像モジュール。
【請求項６】
特性が異なるＸ（Ｘは２以上の整数）個の被写体像を同時に撮像し、前記Ｘ個の被写体像の少なくとも１つの被写体像に対し、複数の波長域の画素信号を出力する撮像モジュールであって、
被写体光が入射するＸ個の領域を有し、Ｘ個の領域毎に特性が異なる被写体像を同じ像面で重ねて結像させる多様レンズと、
前記多様レンズの瞳像を前記Ｘ個の領域毎に分割する瞳分割手段と、
前記瞳分割手段によって分割されたＸ個の瞳像をそれぞれ受光するＸ個の受光領域に対応して配設されたＹ（ＹはＸ＋１以上の整数）個の光電変換器と、を備え、
前記Ｘ個の受光領域のうちの少なくとも１つの受光領域には、複数の光電変換器が配設され、
前記１つの受光領域に配設された複数の光電変換器は、前記複数の波長域の画素信号を出力し、
前記瞳分割手段は、２次元状に配列されたマイクロレンズから構成されたアレイレンズであって、前記光電変換器の入射面側に配設され、各マイクロレンズにより前記多様レンズの瞳像を前記Ｙ個の光電変換器に入射させるアレイレンズであり、
前記多様レンズは、中央の第１の光学系と、前記第１の光学系の周辺部に設けられ、該第１の光学系とは特性が異なる第２の光学系とからなり、
前記多様レンズの第１の光学系は円形の中央光学系であり、前記第２の光学系は前記中央光学系に対して同心円状に配設された環状光学系であり、
前記アレイレンズは、各マイクロレンズにより前記Ｙ個の光電変換器にそれぞれ結像させる瞳像のうち、互いに隣り合う前記環状光学系に対応する環状瞳像の一部同士を前記Ｙ個の光電変換器上で重複させるとともに、互いに隣り合う前記中央光学系に対応する中央瞳像と前記第２の光学系に対応する環状瞳像の一部とを重複させ、
前記環状光学系は、前記中央光学系に対応する中央瞳像と重複する環状瞳像の一部に対応する部分が遮光され、又は前記中央光学系に対応する中央瞳像と重複する環状瞳像の一部に対応する部分が欠落して形成されている撮像モジュール。
【請求項７】
特性が異なるＸ（Ｘは２以上の整数）個の被写体像を同時に撮像し、前記Ｘ個の被写体像の少なくとも１つの被写体像に対し、複数の波長域の画素信号を出力する撮像モジュールであって、
被写体光が入射するＸ個の領域を有し、Ｘ個の領域毎に特性が異なる被写体像を同じ像面で重ねて結像させる多様レンズと、
前記多様レンズの瞳像を前記Ｘ個の領域毎に分割する瞳分割手段と、
前記瞳分割手段によって分割されたＸ個の瞳像をそれぞれ受光するＸ個の受光領域に対応して配設されたＹ（ＹはＸ＋１以上の整数）個の光電変換器と、を備え、
前記Ｘ個の受光領域のうちの少なくとも１つの受光領域には、複数の光電変換器が配設され、
前記１つの受光領域に配設された複数の光電変換器は、前記複数の波長域の画素信号を出力し、
前記瞳分割手段は、２次元状に配列されたマイクロレンズから構成されたアレイレンズであって、前記光電変換器の入射面側に配設され、各マイクロレンズにより前記多様レンズの瞳像を前記Ｙ個の光電変換器に入射させるアレイレンズであり、
前記多様レンズは、中央の第１の光学系と、前記第１の光学系の周辺部に設けられ、該第１の光学系とは特性が異なる第２の光学系とからなり、
前記多様レンズの第１の光学系は円形の中央光学系であり、前記第２の光学系は前記中央光学系に対して同心円状に配設された環状光学系であって、特性が異なる第３の光学系と第４の光学系とが交互に配置されてなる環状光学系であり、
前記アレイレンズは、各マイクロレンズにより前記Ｙ個の光電変換器にそれぞれ結像させる瞳像のうち、互いに隣り合う前記環状光学系の第３の光学系に対応する第１の環状瞳像同士を前記Ｙ個の光電変換器上で重複させるとともに、互いに隣り合う前記環状光学系の第４の光学系に対応する第２の環状瞳像同士を前記Ｙ個の光電変換器上で重複させる撮像モジュール。
【請求項８】
前記光電変換器が六方格子状に配列され、
前記瞳分割手段及び前記Ｙ個の光電変換器を単位ブロックとすると、前記単位ブロックは、１個の中央の光電変換器と周囲の６個の光電変換器とからなり、
前記中央光学系に対応する中央瞳像は、前記中央の光電変換器に入射し、前記環状光学系の第３の光学系に対応する第１の環状瞳像は、前記周囲の６個の光電変換器のうちの前記中央の光電変換器から１２０度３方向の３個の光電変換器に入射し、前記環状光学系の第４の光学系に対応する第２の環状瞳像は、前記周囲の６個の光電変換器のうちの前記中央の光電変換器から１２０度３方向の他の３個の光電変換器に入射する請求項７に記載の撮像モジュール。
【請求項９】
前記多様レンズの中央光学系は広角光学系であり、前記環状光学系の第３の光学系及び第４の光学系はそれぞれ焦点距離の異なる望遠光学系である請求項７又は８に記載の撮像モジュール。
【請求項１０】
前記多様レンズの中央光学系は広角光学系であり、前記環状光学系の第３の光学系及び第４の光学系はそれぞれ撮影距離の異なる望遠光学系である請求項７又は８に記載の撮像モジュール。
【請求項１１】
前記環状光学系は、光束を２回以上反射させる反射光学系を有する請求項４から１０のいずれか１項に記載の撮像モジュール。
【請求項１２】
請求項１から１１のいずれか１項に記載の撮像モジュールと、
前記瞳分割手段及び前記Ｙ個の光電変換器を単位ブロックとすると、前記１つの単位ブロック内の光電変換器から出力される画素信号に基づいて、前記複数の波長域の情報からなる少なくとも１つの画像を構成する１画素分の画像信号を生成する画像生成部と、
を備えた撮像装置。